(57)【要約】【課題】装着した男性用吸収パッドを安定させることができ、しかも、身に付ける際に男性用吸収パッドがずれ難い男性用吸収パッドカバーを提供する。【解決手段】漏れた尿を吸収するために男性性器Ｓに装着された男性用吸収パッド２００を被覆する男性用吸収パッドカバー１００であって、腰に巻回状に装着される帯体１０と、該帯体１０の背中側の部位から下方に延設され、背中側から腹側へと股間を通じて巻き上げられると共に端部が前記帯体１０の腹側の部位に固定されることで、前記男性用吸収パッド２００を被覆するカバー体２０とを備える。【選択図】図２
2006218144.tif 000002
【特許請求の範囲】
【請求項１】
漏れた尿を吸収するために男性性器に装着された男性用吸収パッドを被覆する男性用吸収パッドカバーであって、
腰に巻回状に装着される帯体と、
該帯体の背中側の部位から下方に延設され、背中側から腹側へと股間を通じて巻き上げられると共に端部が前記帯体の腹側の部位に固定されることで、前記男性用吸収パッドを被覆するカバー体と
を備えることを特徴とする男性用吸収パッドカバー。
【請求項２】
前記帯体は、相互に分離された端部を有し、各端部が腰の一側にて相互に連結されることで腰に巻回状に装着されるものであることを特徴とする請求項１に記載の男性用吸収パッドカバー。
【請求項３】
前記帯体は、前記男性用吸収パッドの上部を固定するものであることを特徴とする請求項１または請求項２に記載の男性用吸収パッドカバー。
【発明の詳細な説明】
【技術分野】
【０００１】
本発明は、男性用吸収パッドカバーに関するものであり、詳しくは、漏れた尿を吸収するために男性性器に装着された男性用吸収パッドを被覆する男性用吸収パッドカバーに関するものである。
【背景技術】
【０００２】
前立腺の弱い男性等は尿漏れを起こし易いのであるが、男性性器に装着することで、漏れた尿を吸収することができるようにした男性用吸収パッドがある。このような男性用吸収パッドは、例えば、防水シートにより袋状に形成された袋体の内部に、吸水ポリマー等によってパッド状に形成された吸収パッドを備えるものであり、袋体に男性性器を差し入れるようして装着されるものである。
【０００３】
【特許文献１】特開２００２−３３６２８５号公報
【発明の開示】
【発明が解決しようとする課題】
【０００４】
上述のような男性用吸収パッドを装着しても、歩いたり座ったりする日常生活において、男性用吸収パッドが男性性器から外れてしまったり、或いは、完全には外れなくても、外れ易い状態にずれてしまうことがある。また、男性性器に単に装着しただけの男性用吸収パッドは不安定であり、ごわごわすることから、日常生活を営む際に、装着した男性用吸収パッドにより不快感を生じる虞もある。なお、男性用吸収パッドを装着した上から、サポーターパンツのような下腹部から臀部にかけてぴったりフィットするパンツを穿くことで、男性用吸収パッドを安定させることもできるが、この場合には、パンツを穿く途中で、装着した男性用吸収パッドがパンツに持ち上げられて、ずれ易く、男性用吸収パッドを安定した状態のままでパンツを穿くことは、非常に面倒であるといった新たな問題を生じる。
【０００５】
本発明は、上記実状を鑑みてなされたものであり、装着した男性用吸収パッドを安定させることができ、しかも、身に付ける際に男性用吸収パッドがずれ難い男性用吸収パッドカバーの提供を課題とする。
【課題を解決するための手段】
【０００６】
上記課題を解決するために本発明の採った主要な手段は、
「漏れた尿を吸収するために男性性器に装着された男性用吸収パッドを被覆する男性用吸収パッドカバーであって、
腰に巻回状に装着される帯体と、
該帯体の背中側の部位から下方に延設され、背中側から腹側へと股間を通じて巻き上げられると共に端部が前記帯体の腹側の部位に固定されることで、前記男性用吸収パッドを被覆するカバー体と
を備えることを特徴とする男性用吸収パッドカバー」
である。
【０００７】
上記構成の男性用吸収パッドでは、カバー体により男性用吸収パッドを被覆することから、男性性器に装着された男性用吸収パッドを安定させることができる。また、カバー体によって男性用吸収パッドを被覆する際には、カバー体が背中側から腹側へと股間を通じて巻き上げられ、その端部が帯体の腹側の部位に固定されるため、男性用吸収パッドの前面を下から上へと包み込むようにしてカバー体が帯体に固定される。よって、男性用吸収パッドがずれ難い状態で、カバー体によって男性用吸収パッドを被覆することができる。
【０００８】
なお、帯体は、腰に巻回状に装着されるものであればよく、両端部が相互に分離されており、腰に回して各端部を連結することで環状となり、腰に巻回状に装着されるもの、予め環状に形成されており、下半身を通したり、上半身をくぐらせたりして腰に巻回状に装着されるもの等、適宜の形状のものを適用することができる。ここで、予め環状に形成された帯体に下半身を通して腰に帯体を装着するといった使用態様では、帯体を装着後に男性用吸収パッドを男性性器に装着すれば、何らの支障を生じないのであるが、帯体の装着前に男性用吸収パッドが装着されていると、帯体の装着に際して男性用吸収パッドがずれる可能性はある。しかしながら、環状の帯体は、男性性器に装着された男性用吸収パッドに干渉し難いため、下腹部から臀部にかけてフィットするパンツを穿く場合に比して、男性用吸収パッドがずれ難く、帯体が予め環状に形成された男性用吸収パッドカバーであっても、十分な作用効果を発揮することができる。
【０００９】
上述した手段において、
「前記帯体は、相互に分離された端部を有し、各端部が腰の一側にて相互に連結されることで腰に巻回状に装着されるものであることを特徴とする男性用吸収パッドカバー」
としてもよい。
【００１０】
帯体が、相互に分離された端部を有しており、各端部を連結することで腰に装着されるものであれば、予め環状に形成された帯体に比して、装着された男性用吸収パッドを安定した状態のままで腰に装着することができ、好適である。しかも、各端部を腰の一側にて連結するため、装着が容易であるばかりでなく、各端部の連結部分がカバー体の固定に邪魔にならず、カバー体を帯体の腹側の部位に良好に固定することができるといった利点を得ることもできる。
【００１１】
上述した手段において、
「前記帯体は、前記男性用吸収パッドの上部を固定するものであることを特徴とする男性用吸収パッドカバー」
としてもよい。
【００１２】
カバー体によって男性用吸収パッドを被覆する際に、男性用吸収パッドのずれを完全に防止することは困難であり、多少のずれを生じることは免れを得ないが、男性用吸収パッドの上部を帯体に固定することで、このずれを、より少なくすることができる。
【発明の効果】
【００１３】
上述した通り、本発明によれば、装着した男性用吸収パッドを安定させることができ、しかも、身に付ける際に男性用吸収パッドがずれ難い男性用吸収パッドカバーを提供することができる。
【発明を実施するための最良の形態】
【００１４】
本発明に係る男性用吸収パッドカバーの実施形態としての一例を、以下、図面に従って詳細に説明する。
【００１５】
図１に示すように、男性吸収パッドカバー１００は、伸縮部１１及び固定部１２を有する帯体１０と、臀部カバー２１及び下腹部カバー２２を有し、帯体１０の下方に延設されたカバー体２０とを備えてなるものとして構成されている。
【００１６】
ここで、帯体１０の伸縮部１１は、適宜幅（２０〜４０ｍｍ、より具体的には３０ｍｍ程度）のゴム帯等、伸縮性に優れる弾性素材によって形成されている。また、伸縮部１１は、微細な編目を有するゴム帯から構成されており、通気性に優れたものとなっている。また、固定部１２は、伸縮部１１よりも幅広（６０〜１００ｍｍ、より具体的には８０ｍｍ程度）の布地により形成されており、伸縮部１１の一側の端部に逢着されている。また、固定部１２は、装着した状態で表となる側が、毛羽立った生地や、パイル地となっている一方で、裏となる側が、滑らかで肌触りの良い生地となっている。すなわち、表側が粗い生地、裏側が平滑な生地となっている。
【００１７】
そして、このように構成された帯体１０は、伸縮部１１の一端及び固定部１２の一端により、相互に分離する端部が構成されており、伸縮部１１側の端部及び固定部１２側の端部の夫々に連結具１３，１４が取着されている。ここで、本例では、連結具１３，１４として、面ファスナーを採用しており、面ファスナーを構成する雄側ファスナー体及び雌側ファスナー体が、夫々、伸縮部１１側の端部または固定部１２側の端部に取着されている。なお、連結具１３，１４としては、これに限らず、ボタン、ホック、紐等を採用してもよい。
【００１８】
カバー体２０は、帯体１０における装着した状態で背中側に位置する部位、より具体的には伸縮部１１の下方に延設されている。ここで、カバー体２０は、装着した際に臀部をぴったりとフィットした状態で覆う臀部カバー２１と、装着した際に下腹部をぴったりとフィットした状態で覆う下腹部カバー２２とを有するものであり、臀部カバー２１の上端縁が、帯体１０の伸縮部１１に逢着されている。また、カバー体２０全体は、縁端をまつる生地を除いて、臀部カバー２１及び下腹部カバー２２が一体の布地によって構成されている。なお、カバー体２０を構成する布地は、帯体１０の伸縮部１１よりも粗い編目を有し、伸縮性及び通気性に優れるニット等により構成されているのであるが、このカバー体２０では、特に、横方向（図示左右方向）よりも縦方向（図示上下方向）の伸縮性が優れる向きで使用されている。
【００１９】
また、カバー体２０の臀部カバー２１は、臀部を十分に覆って、両臀部間に食い込むことなく、安定して装着できるように、適宜幅（２００〜４００ｍｍ、より具体的には３００ｍｍ程度）となっている一方で、下腹部カバー２２は、男性性器を被覆できる程度であればよいので、臀部カバー２１よりも幅狭（１００〜３００ｍｍ、より具体態には２００ｍｍ程度）となっている。また、臀部カバー２１と下腹部カバー２２との境界部分は、明確になってはいないのであるが、この境界部分は股間に当たる部分であり、歩いたり座ったりする際の邪魔にならないように、最小幅の部分が下腹部カバー２２よりもさらに幅狭（５０〜１５０ｍｍ、より具体的には１００ｍｍ）となるように、臀部カバー２１と下腹部カバー２２との間にて湾曲した幅形状に形成されている。
【００２０】
ところで、下腹部カバー２２の先端部分は、帯体１０に固定される部分であり、この部分には、固定具２３が取着されている。ここで、本例では、固定具２３として、面ファスナーを採用しており、面ファスナーを構成する雄側ファスナー体が、下腹部カバー２２の端部に取着されている。一方、上述の通り、帯体１０の固定部１２の一方の面は、毛羽立った生地やパイル地等の粗い生地により構成されており、雄側ファスナー体が良好に固着する生地となっている。よって、帯体１０の固定部１２に雌側ファスナー体を設けずとも、固定部１２の所望の位置に、カバー体２０の下腹部カバー２２の端部を固着することができる。なお、これに限らず、カバー体２０または帯体１０の一方に雄側ファスナー体を取着して、他方に雌側ファスナー体を取着してもよい。また、固定具２３としては、面ファスナーに限らず、ボタン、ホック、紐等を採用してもよい。
【００２１】
次に、この男性用吸収パッドカバー１００の使用態様を説明する。
【００２２】
図２に示すように、まず、腰に巻回状に帯体１０を装着する。この時、帯体１０の伸縮部１１と固定部１２とを腰に廻し、伸縮部１１の端部に設けられた連結具１３と、固定部１２の端部に設けられた連結具１４とを相互に連結することで、帯体１０の装着を完了する。ここで、伸縮部１１の端部及び固体部１２の端部は、腰の一側、より具体的には、腰の斜め前方に位置するため、帯体１０の両端の相互の連結を円滑に行うことができる。なお、男性用吸収パッド２００は、帯体１０の装着前に男性性器Ｓに装着しておいてもよく、或いは、帯体１０の装着後に男性性器Ｓに装着してもよい。
【００２３】
また、本例の男性用吸収パッドカバー１００では、帯体１０、より具体的には固定部１２、の表面の中心部分に指標１５が設けられている。このように指標１５を設けることで、カバー体２０が股間の中央となるように帯体１０を的確に位置決めすることができる。なお、指標１５としては、固定部１２の表面の生地とは異なる色の糸によって形成された縦方向の縫い目、固定部１２に貼着されたシール、固定部１２の表面に塗料によって描かれたマークやライン等を採用することができる。
【００２４】
このように帯体１０を腰に装着すると、カバー体２０が臀部の下方にぶら下がった状態となるので、カバー体２０の端部、より具体的にはカバー体２０の下腹部カバー２２、を持ち上げ、背中側から腹側へと、股間を通じて巻き上げる。そして、下腹部カバー２２の端部に設けられた固定具２３である雄側ファスナー体を、帯体１０の固定部１２の表面に押し当て固着する。これにより、男性用吸収パッドカバー１００の身に付け作業を完了する。
【００２５】
すると、図３に示すように、装着された男性用吸収パッド２００がカバー体２０により被覆される共に、カバー体２０自体の伸縮性により、ある程度の力で身体側に押し付けられ、安定した状態となる。また、カバー体２０によって男性用吸収パッド２００を被覆する際には、カバー体２０の端部が、男性用吸収パッド２００から大きく離間した状態で、男性用吸収パッド２００の下方から上方へと巻き上げられるので、装着した男性用吸収パッド２００に大きなずれを生じることがない。
【００２６】
なお、本例では、男性用吸収パッド２００として、上部が開口する袋状に形成されると共に、内部に、吸水ポリマー等の吸収材によってパッド状に形成された吸収パッド２３０が配設され、袋の裏面側に、十字状のスリットや円形の貫通孔によって構成された挿入孔２４０を備えたものを用いている。このような男性用吸収パッド２００は、上記挿入孔２４０に男性性器Ｓを挿入することで装着されるものであるが、これに限らず、図示は省略するが、内部に吸収パッドを備え、上部が開口する有底の筒状に形成され、上部の開口に男性性器を挿入することで装着されるものであってもよい。
【００２７】
さらに、本例の男性用吸収パッド２００では、袋の外面を構成する防水シート２１０と袋の内面を構成する透水シート２２０との間に吸収パッド２３０を挟み込んでいるのであるが、吸収パッド２３０が袋の内側において一方の側に設けられており、全体の厚みが薄くなるように構成されている。男性用吸収パッドカバー１００によって男性用吸収パッド２００を被覆して安定させると、股間に男性性器Ｓ及び男性用吸収パッド２００が存在する状態となり、股間に異物感を生じるのであるが、男性用吸収パッド２００として、厚みの薄いものを用いることで、無用に大きな異物感が生じることがなく、不快感を生じ難くすることができる。
【００２８】
次に、本発明に係る男性用吸収パッドカバーの別例を、図４に基づいて説明する。この男性用吸収パッドカバー１００では、帯体１０の固定部１２の幅が、上述の例よりも幅広で、固定部１２の下部が大きく垂れ下がっている。一方、男性用吸収パッド２００の身体側の面には、固定具２５０として、雄側面ファスナーが取着されている。本例では、この固定具２５０によって、男性用吸収パッド２００の上部を帯体１０の固定部１２に固定できるため、カバー体２０によって男性用吸収パッド２００を被覆する際に、男性用吸収パッド２００がずれることを、より的確に抑制することができる。なお、固定部１２を幅広とするに限らず、男性用吸収パッド２００の上部を、長く延出させてもよい。また、固定具２５０を男性用吸収パッド２００とは別体とし、男性用吸収パッド２００に、使用者によって後付けにより任意に取着できるようにして、固定具２５０の取着位置を、使用者の体格に応じて適宜調節できるようにしてもい。
【００２９】
また、固定具２５０としては、面ファスナーに限らず、粘着テープを用いてもよい。さらには、帯体１０に男性用吸収パッド２００を固定するためには、固定具２５０を用いるに限らず、男性用吸収パッド２００の上部を帯体１０の固定部１２に差し入れたり、帯体１０の固定部１２と腹部との間にて挟持することができるようにしてもよい。
【図面の簡単な説明】
【００３０】
【図１】本発明に係る男性用吸収パッドカバーの一例を示す正面図である。
【図２】男性用吸収パッドカバーの使用態様を示す斜視図である。
【図３】男性用吸収パッドカバーを身に付けた状態を示す断面右側面図である。
【図４】別例の男性用吸収パッドカバーの使用態様を示す斜視図である。
【符号の説明】
【００３１】
Ｓ  男性性器
１０  帯体
１１  伸縮部
１２  固定部
１３  連結具
１４  連結具
１５  指標
２０  カバー体
２１  臀部カバー
２２  下腹部カバー
２３  固定具
１００  男性用吸収パッドカバー
２００  男性用吸収パッド
２１０  防水シート
２２０  透水シート
２３０  吸収パッド
２４０  挿入孔
２５０  固定具
【図１】
2006218144.tif 000003
【図２】
2006218144.tif 000004
【図３】
2006218144.tif 000005
【図４】
2006218144.tif 000006